(57)【要約】  本願では壁掛け式エアコン室内機を開示する。前記壁掛け式エアコン室内機は：ベースと；フィルターアセンブリと；フィルターアセンブリの一端に設けられている掃除アセンブリとを含み、前記掃除アセンブリとフィルターアセンブリは締結構造により接続され、前記掃除アセンブリ及び／又はフィルターアセンブリはベースに取り付けられている。
2021515163.tif 000002
【特許請求の範囲】
【請求項１】
ベースと、
フィルターアセンブリと、
前記フィルターアセンブリの一端に設けられている掃除アセンブリと、
を含み、
前記掃除アセンブリと前記フィルターアセンブリは締結構造により接続され、前記掃除アセンブリ及び／又は前記フィルターアセンブリは、前記ベースに取り付けられている壁掛け式エアコン室内機。
【請求項２】
前記締結構造は取り外し可能な構造である請求項１に記載の壁掛け式エアコン室内機。
【請求項３】
前記締結構造は第一バックル構造及び／又は第一螺接構造を含む請求項２に記載の壁掛け式エアコン室内機。
【請求項４】
前記フィルターアセンブリはグリッドアセンブリを含み、前記掃除アセンブリは掃除ボックスを含み、前記掃除ボックスは前記グリッドアセンブリの下方に設けられ、前記グリッドアセンブリの端部には第一接続部が下へ延在しており；
前記第一バックル構造は前記第一接続部に設けられている第一掛着穴、及び前記掃除ボックスに突出して設けられている第一係着突起を含み；或いは、前記第一バックル構造は前記第一接続部に突出して設けられている第一係着突起、及び前記掃除ボックスに設けられている第一掛着穴を含み；
前記第一係着突起は前記第一掛着穴に適合して係接されている請求項３に記載の壁掛け式エアコン室内機。
【請求項５】
前記第一接続部は板状に設けられている請求項４に記載の壁掛け式エアコン室内機。
【請求項６】
前記第一係着突起は前記第一掛着穴の斜面に向かって傾いて延設されている請求項４に記載の壁掛け式エアコン室内機。
【請求項７】
前記第一接続部は前後方向において隔てて二つ設けられており、何れの前記第一接続部にも一つの前記第一掛着穴が設けられている請求項４に記載の壁掛け式エアコン室内機。
【請求項８】
前記グリッドアセンブリの前部には第二接続部が下へ延在しており、
前記第一バックル構造はさらに、前記第二接続部に設けられている第二掛着穴、及び前記掃除ボックスに突出して設けられている第二係着突起を含み；或いは、前記第一バックル構造は前記第二接続部に突出して設けられている第二係着突起、及び前記掃除ボックスに設けられている第二掛着穴を含み、
前記第二係着突起は前記第二掛着穴に適合して係接されている請求項４に記載の壁掛け式エアコン室内機。
【請求項９】
前記第二接続部は板状に設けられている請求項８に記載の壁掛け式エアコン室内機。
【請求項１０】
前記第二係着突起は前記第二掛着穴の斜面に向かって傾いて延設されている請求項８に記載の壁掛け式エアコン室内機。
【請求項１１】
前記第二接続部は前記フィルターアセンブリの長さ方向において隔てて二つ設けられており、何れの前記第二接続部にも一つの前記第二掛着穴が設けられている請求項８に記載の壁掛け式エアコン室内機。
【請求項１２】
前記フィルターアセンブリはグリッドアセンブリを含み、前記掃除アセンブリは掃除ボックスを含み、前記掃除ボックスは前記グリッドアセンブリの下方に設けられ、前記掃除ボックスの開口端には第三接続部が上へ延在しており、前記第一螺接構造は第一締付けねじを含み、前記第一締付けねじは第三接続部を通して前記グリッドアセンブリの端部とねじ山で接続されている請求項３に記載の壁掛け式エアコン室内機。
【請求項１３】
前記第三接続部は前記掃除ボックスの開口端の後側に位置する請求項１２に記載の壁掛け式エアコン室内機。
【請求項１４】
前記ベースは底壁、及び前記底壁の後側に接続されている後側壁を含み、前記底壁には収納位置が画成されて、前記掃除アセンブリは下部で前記収納位置に取り付けられており；
前記掃除アセンブリの上部は前記後側壁と第二螺接構造により接続され、且つ／又は、前記フィルターアセンブリは前記後側壁と第二バックル構造により接続されている請求項１に記載の壁掛け式エアコン室内機。
【請求項１５】
前記掃除アセンブリの掃除ボックス上には第四接続部が突出して設けられており、前記第四接続部は前記フィルターアセンブリから遠く離れるもう一端に向かう方向に延在して；前記第二螺接構造は第二締付けねじを含み、前記第二締付けねじは前記第四接続部を通して前記後側壁とねじ山で接続され；且つ／又は
前記第二バックル構造は前記後側壁に設けられている第三掛着穴、及前記びフィルターアセンブリに突出して設けられている挿入バックルを含み；或いは、前記第二バックル構造は前記後側壁に突出して設けられている挿入バックル、及び前記フィルターアセンブリに設けられている第三掛着穴を含み；前記挿入バックルは前記第三掛着穴に挿入接続されている請求項１４に記載の壁掛け式エアコン室内機。
【請求項１６】
前記第二螺接構造はさらに第四接続部上に設けられている第二ビア、及び前記後側壁に設けられている第二ねじ山穴を含み、前記第二締付けねじは前記第二ビアを通して第二ねじ山穴にねじ山で接続され、
前記後側壁にはねじ穴柱が突出して設けられ、前記第二ねじ山穴は当該ねじ穴柱に設けられている請求項１５に記載の壁掛け式エアコン室内機。
【請求項１７】
前記第四接続部は第三接続部の後側辺に一体成型されている請求項１５に記載の壁掛け式エアコン室内機。
【請求項１８】
前記底壁は前記後側壁と一体成型されている請求項１５に記載の壁掛け式エアコン室内機。
【請求項１９】
前記掃除アセンブリの歯車と前記フィルターアセンブリのフィルターの噛合部と噛み合い、前記噛合部はラックであり；或いは、前記噛合部には噛合穴が設けられている請求項１に記載の壁掛け式エアコン室内機。
【請求項２０】
前記壁掛け式エアコン室内機はさらにフレームを含み、前記フレームは取り外し可能に前記ベースに取り付けられ、前記フレームは前記ベースと収納チャンバーを形成し、前記フィルターアセンブリと掃除アセンブリは前記収納チャンバーに取り付けられている請求項１に記載の壁掛け式エアコン室内機。
【発明の詳細な説明】
【技術分野】
【０００１】
優先権情報
本出願は２０１９年１月３１日に出願された、出願番号２０１９２０１７９０４０．５、発明名称「壁掛け式エアコン室内機」である中国特許出願の優先権を主張し、その全ての内容を引用して本出願に組み入れる。
【０００２】
本願はエアコンの技術分野に関し、特に壁掛け式エアコン室内機に関する。
【背景技術】
【０００３】
壁掛け式エアコン室内機について、その一側には自動的にフィルターを水洗いするための掃除アセンブリが設けられている。関連設計では、掃除アセンブリとフィルターアセンブリは何れもエアコンのベース上に取り付けられ、総軸とフィルターアセンブリとの間の相対位置を調整して設けることで、掃除アセンブリの歯車をフィルターに噛み合わせて、フィルターの移動を駆動して水洗いを行うように設けられる。
【０００４】
しかし、以上の構成において、掃除アセンブリとフィルターアセンブリとの間では直接な組立関係がないため、掃除アセンブリとフィルターアセンブリとの間の相対位置が安定していない。したがって、掃除アセンブリの歯車とフィルターとの間の噛み合いに位置ずれ、スタック、異音等の不良現象が生じやすく、フィルターの水洗い過程における動力伝達の信頼性は悪い。
【発明の概要】
【発明が解決しようとする課題】
【０００５】
本願の主な目的は、フィルターの水洗い過程における動力伝達の信頼性が比較的悪いという技術問題を解決するための壁掛け式エアコン室内機を提案することである。
【課題を解決するための手段】
【０００６】
上記目的を達成するために、本願が提供する壁掛け式エアコン室内機は、
ベースと；
フィルターアセンブリと；
前記フィルターアセンブリの一端に設けられている掃除アセンブリと
を含み、
前記掃除アセンブリと前記フィルターアセンブリは締結構造により接続され；前記掃除アセンブリ及び／又は前記フィルターアセンブリは前記ベースに取り付けられている。
【０００７】
好ましくは、前記締結構造は取り外し可能な構造である。
【０００８】
好ましくは、前記締結構造は第一バックル構造及び／又は第一螺接構造を含む。
【０００９】
好ましくは、前記フィルターアセンブリはグリッドアセンブリを含み、前記掃除アセンブリは掃除ボックスを含み、前記掃除ボックスは前記グリッドアセンブリの下方に設けられ、前記グリッドアセンブリの端部には第一接続部が下へ延在しており；
前記第一バックル構造は前記第一接続部に設けられている第一掛着穴、及び前記掃除ボックスに突出して設けられている第一係着突起を含み；或いは、前記第一バックル構造は前記第一接続部に突出して設けられている第一係着突起、及び前記掃除ボックスに設けられている第一掛着穴を含み；
前記第一係着突起は前記第一掛着穴に適合して係接されている。
【００１０】
好ましくは、前記グリッドアセンブリの前部には第二接続部が下へ延在しており；
前記第一バックル構造はさらに、前記第二接続部に設けられている第二掛着穴、及び前記掃除ボックスに突出して設けられている第二係着突起を含み；或いは、前記第一バックル構造は前記第二接続部に突出して設けられている第二係着突起、及び前記掃除ボックスに設けられている第二掛着穴を含み；
前記第二係着突起は前記第二掛着穴に適合して係接されている。
【００１１】
好ましくは、前記フィルターアセンブリはグリッドアセンブリを含み、前記掃除アセンブリは掃除ボックスを含み、前記掃除ボックスは前記グリッドアセンブリの下方に設けられ、前記掃除ボックスの開口端には第三接続部が上へ延在しており、前記第一螺接構造は第一締付けねじを含み、前記第一締付けねじは第三接続部を通して前記グリッドアセンブリの端部とねじ山で接続されている。
【００１２】
好ましくは、前記ベースは底壁、及び前記底壁の後側に接続されている後側壁を含み、前記底壁には収納位置が画成されて、前記掃除アセンブリは下部で前記収納位置に取り付けられており；
前記掃除アセンブリの上部は前記後側壁と第二螺接構造により接続され、且つ／又は、前記フィルターアセンブリは前記後側壁と第二バックル構造により接続されている。
【００１３】
好ましくは、前記掃除アセンブリの掃除ボックス上には第四接続部が突出して設けられており、前記第四接続部は前記フィルターアセンブリから遠く離れるもう一端に向かう方向に延在して；前記第二螺接構造は第二締付けねじを含み、前記第二締付けねじは前記第四接続部を通して前記後側壁とねじ山で接続され；且つ／又は
前記第二バックル構造は前記後側壁に設けられている第三掛着穴、及び前記フィルターアセンブリに突出して設けられている挿入バックルを含み；或いは、前記第二バックル構造は前記後側壁に突出して設けられている挿入バックル、及び前記フィルターアセンブリに設けられている第三掛着穴を含み；前記挿入バックルは前記第三掛着穴に挿入接続されている。
【００１４】
好ましくは、前記第四接続部は第三接続部の後側辺に一体成型されている。
【００１５】
好ましくは、前記掃除アセンブリの歯車と前記フィルターアセンブリのフィルターの噛合部と噛み合い、前記噛合部はラックであり；或いは、前記噛合部には噛合穴が設けられている。
【００１６】
好ましくは、前記壁掛け式エアコン室内機はさらにフレームを含み、前記フレームは取り外し可能に前記ベースに取り付けられ、前記フレームは前記ベースと収納チャンバーを形成し、前記フィルターアセンブリと掃除アセンブリは前記収納チャンバーに取り付けられている。
【００１７】
本願の壁掛け式エアコン室内機によれば、締結構造により掃除アセンブリとフィルターアセンブリを一体として固く接続することで、掃除アセンブリとフィルターアセンブリとの間の接続安定性を向上できるので、掃除アセンブリの歯車とフィルターとの噛み合いの安定性を向上できる。これにより、水洗いの過程において、歯車とフィルターとの間の噛み合い動力伝達に位置ずれ、スタック、異音等の不良現象が生じることを避けられ、フィルターの水洗い過程における動力伝達の信頼性を向上できる。
【図面の簡単な説明】
【００１８】
本願実施例及び従来技術の技術案をより明確に説明するため、以下では、実施例或いは従来技術の説明に必要とされる添付図面を簡単に紹介する。下記説明における添付図面は本願の一部の実施例に過ぎず、当業者にとって、創造的な努力を行わないことを前提に、これらの添付図面が示される構造により他の図面を得ることができる。
【図１】本願の壁掛け式エアコン室内機の一実施例の構造模式図である。
【図２】図１における壁掛け式エアコン室内機の内部構造模式図である。
【図３】図２のＡでの部分拡大図である。
【図４】図２におけるフィルターアセンブリと掃除アセンブリの組立構造模式図である。
【図５】図４のＢでの部分拡大図である。
【図６】図４における掃除アセンブリの構造模式図である。
【図７】図４におけるフィルターアセンブリの構造模式図である。
【図８】図７のＣでの部分拡大図である。
【図９】図７におけるフィルターアセンブリの分解構造模式図である。
【図１０】図２におけるベースの構造模式図である。
【図１１】図１０のＤでの部分拡大図である。以下、添付図面を参照しながら、実施例により本願目的の実現、機能特徴及び長所をさらに説明する。
【発明を実施するための形態】
【００１９】
以下では、本願実施例における添付図面と合わせて、本願実施例における技術案を明確且つ完全に説明する。説明される実施例は本願の全ての実施例ではなく、本願の一部の実施例に過ぎないことは明らかである。本願における実施例に基づいて、当業者が創造的な努力を行わないことを前提に得られる全ての他の実施例は、本願の保護範囲に属す。
【００２０】
本願実施例で方向性指示（例えば上、下、左、右、前、後…）に関わる場合、当該方向性指示はある特定の姿勢（添付図面に示す）における各部品間の相対的位置関係、運動状況等を説明するためだけに用いられ、当該特定の姿勢が変わる場合、当該方向性指示もそれ相当に変わることは説明すべきである。
【００２１】
また、本願実施例において「第一」、「第二」等の説明に関わる場合、当該「第一」、「第二」等の説明は、説明のために用いられるであり、その相対的な重要性を提示又は暗示する、或いは提示される技術的特徴の数を暗示的に指定すると理解すべきではない。これにより、「第一」、「第二」に限定されている特徴は明示的或いは暗示的に少なくとも一つの当該特徴を含んでもよい。また、全文において現れた「及び／又は」は三つの選択肢を含むことを意味する。「Ａ及び／又は」を例にして説明すれば、Ａ案、Ｂ案、或いはＡとＢが同時に満たされる案を含むことになる。また、当業者が実現できることを前提として、各実施例の技術案はお互いに組み合わせることができる。技術案の組み合わせに矛盾が生じるか、実現できない場合は、このような技術案の組み合わせが存在しない、且つ本願の特許請求の範囲に属さないと理解すべきである。
【００２２】
本願では壁掛け式エアコン室内機を提案する。
【００２３】
図１−３に示されるように、本願の一実施例において、前記壁掛け式エアコン室内機１００は：
ベース１０と；
フィルターアセンブリ２０と；
フィルターアセンブリ２０の一端に設けられている掃除アセンブリ３０と
を含み、
前記掃除アセンブリ３０とフィルターアセンブリ２０は締結構造により接続され、前記掃除アセンブリ３０及び／又はフィルターアセンブリ２０はベース１０に取り付けられている。
【００２４】
前記締結構造は掃除アセンブリ３０とフィルターアセンブリ２０とを確実に接続することにより、掃除アセンブリ３０とフィルターアセンブリ２０との間の接続安定性を向上させるための構造である。
【００２５】
具体的に、壁掛け式エアコン室内機１００を組み立てる時、まずは締結構造で掃除アセンブリ３０とフィルターアセンブリ２０とを接続して、両者が一体として固く接続されると共に、前記掃除アセンブリ３０の歯車３２２をフィルター組み立て２０のフィルター２１と噛み合せて（その中で、前記フィルター２１上には歯車３２２に噛み合うための噛合部２１１が設けられている）；そして、掃除アセンブリ３０をフィルターアセンブリ２０と一緒にベース１０上に取り付ける。こうして、締結構造により、まず掃除アセンブリ３０とフィルターアセンブリ２０を一体として固く接続することで、掃除アセンブリ３０とフィルターアセンブリ２０との間の接続安定性を向上できるので、掃除アセンブリ３０の歯車３２２とフィルターアセンブリ２０のフィルター２１との噛み合いの安定性を向上できる。これにより、水洗いの過程において、歯車３２２とフィルター２１との間の噛み合い動力伝達に位置ずれ、スタック、異音等の不良現象が生じることを避けられ、フィルター２１の水洗い過程における動力伝達の信頼性を向上できる。
【００２６】
即ち、本願の壁掛け式エアコン室内機１００によれば、締結構造により掃除アセンブリ３０とフィルターアセンブリ２０を一体として固く接続することで、掃除アセンブリ３０とフィルターアセンブリ２０との間の接続安定性を向上できるので、掃除アセンブリ３０の歯車３２２とフィルター２１との噛み合いの安定性を向上できる。これにより、水洗いの過程において、歯車３２２とフィルター２１との間の噛み合い動力伝達に位置ずれ、スタック、異音等の不良現象が生じることを避けられ、フィルター２１の水洗い過程における動力伝達の信頼性を向上できる。
【００２７】
それから、締結構造により掃除アセンブリ３０とフィルターアセンブリ２０とを一緒に固く接続することで、壁掛け式エアコン室内機１００の運搬等の移動過程において、揺れ及び／又は衝突等の原因により、掃除アセンブリ３０とフィルターアセンブリ２０との相対位置変動をさせ、歯車３２２とフィルター２１の噛み合いが緩んで抜ける等の不良現象を起こすのを避けることができる。
【００２８】
また、本願の壁掛け式エアコン室内機１００構造に基づく組立方法は：先ずは締結構造により掃除アセンブリ３０とフィルターアセンブリ２０を一体として固く接続して、そして掃除アセンブリ３０をフィルターアセンブリ２０と一緒にベース１０上に取り付ける。以上の組み立て手順は生産ライン上の接続箇所のチェックにとって非常に便利である。
【００２９】
具体的な実施例において、前記締結構造の具体的な構造形式はたくさんあって、掃除アセンブリ３０をフィルターアセンブリ２０と固く接続して、両者の相対位置を安定させればよい。例えば、前記締結具構造はバックル構造、螺接構造、ピン接続構造、溶接接続構造等の一種或いは複数種を含んでも良い。以下では締結構造について例を挙げて説明する。以下の例示に基づいて、当業者はより多くの締結構造を容易に想到できることは理解できると考えられると考えられる。
【００３０】
さらに、前記締結構造は取り外し可能な構造である。こうすると、掃除アセンブリ３０及び／又はフィルターアセンブリ２０に対して点検、修理、交換などを便利にできる。
【００３１】
本願の例示において、図６−９に示されるように、前記フィルターアセンブリ２０はフィルター２１、及びグリッドアセンブリ２２を含み、前記掃除アセンブリ３０は掃除ボックス３１、及び掃除ボックス３１に取り付けられているロールブラシアセンブリ３２を含み、前記歯車３２２はロールブラスアセンブリ３２の一部であり；前記フィルター２１上には歯車３２２に噛み合うように、噛合部２１１が設けられている。具体的に、前記締結構造は掃除ボックス３１とグリッドアセンブリ２２を接続する。
【００３２】
図７に示されるように、本願の実施例において、前記グリッドアセンブリ２２は基本的に矩形を呈する。
【００３３】
さらに、図４と図５に示されるように、前記締結構造は第一バックル構造と第一螺接構造を含む。こうして、バックル構造と螺接構造を組み合わせて掃除アセンブリ３０とフィルターアセンブリ２０とを固く接続することにより、組み立て時に位置決めするのにべんりなだけではなく、掃除アセンブリ３０とフィルターアセンブリ２０との間の接続安定性も向上できる。それに、締結構造の構成の簡略化にも有利である。
【００３４】
もちろん、前記締結構造は第一バックル構造と第一螺接構造だけを含んでもよい。
【００３５】
更に、図４と図５に示されるように、前記掃除ボックス３１はグリッドアセンブリ２２の下に設けられ、前記グリッドアセンブリ２２の端部には第一接続部２２１が下へ延在している；
前記第一バックル構造は第一接続部２２１に設けられている第一掛着穴２２１１、及び掃除ボックス３１に突出して設けられている第一係着突起３１１を含み、前記第一係着突起３１１は第一掛着穴２２１１に適合して係接されている。好ましくは、前記第一係着突起３１１は掃除ボックス３１の外側面に設けられている。
【００３６】
具体的に、図６に示されるように、前記掃除ボックス３１は概ね直方体状を呈し、図２と３において、前記第一係着突起３１１は掃除ボックス３１の左側面に設けられている。
【００３７】
そうすると、グリッドアセンブリ２２の端部と掃除ボックス３１の左側面とを位置制限して接続できる。
【００３８】
前記第一係着突起３１１は第一接続部２２１上に設けでもよく、これに対して、前記第一掛着穴２２１１は掃除ボックス３１上に設けられていることは理解できると考えられる。即ち、前記第一バックル構造は掃除ボックス３１上に設けられている第一掛着穴２２１１、及び第一接続部２２１に突出して設けられている第一係着突起３１１を含み、前記第一係着突起３１１は第一掛着穴２２１１に適合して係接されている。
【００３９】
具体的に、図７と８に示されるように、前記第一接続部２２１は板状に設けられている。これにより、第一接続部２２１の構造と製造過程を簡略化できる。
【００４０】
具体的に、前記第一係着突起３１１は第一掛着穴２２１１の斜面に向かって傾いて延設されることにより、第一接続部２２１と掃除ボックス３１の係合に対して案内する機能を果たす。
【００４１】
さらに、図２、７と８に示されるように、前記第一接続部２２１は前後方向において隔てて二つ設けられており、何れの第一接続部２２１にも一つの第一掛着穴２２１１が設けられ、前記第一係着突起３１１は対応するように二つ設けられている。こうすると、接続強度と接続安定性を向上できる。
【００４２】
さらに、図４−８に示されるように、前記グリッドアセンブリ２２の前部には第二接続部２２２が下に向かって延在しており；前記第一バックル構造はさらに第二接続部２２２に設けられている第二掛着穴２２２１、及び掃除ボックス３１に突出して設けられている第二係着突起３１２を含み、前記第二係着突起３１２は第二掛着穴２２１１に適合して係接されている。好ましくは、第二係着突起３１２は掃除ボックス３１の外側面に設けられている。
【００４３】
具体的に、図２及び３において、前記第二係着突起３１２は掃除ボックス３１の前側面に設けられている。
【００４４】
こうすると、グリッドアセンブリ２２の前部と掃除ボックス３１の前側面とを位置制限して接続できる。
【００４５】
前記第二係着突起３１２は第二接続部２２２上に設けでもよく、これに対して、前記第二掛着穴２２２１は掃除ボックス３１上に設けられていることは理解できると考えられる。即ち、前記第一バックル構造は掃除ボックス３１に設けられている第二掛着穴２２２１、及び第二接続部２２２に突出して設けられている第二係着突起３１２を含み、前記第二係着突起３１２は第二掛着穴２２２１に適合して係接されている。
【００４６】
具体的に、図７と８に示されるように、前記第二接続部２２２は板状に設けられている。これにより、第二接続部２２２の構造と製造過程を簡略化できる。
【００４７】
具体的に、前記第二係着突起３１１は第二掛着穴２２１１の斜面に向かって傾いて延設されることにより、第一接続部２２１と掃除ボックス３１の係合に対して案内する機能を果たす。
【００４８】
さらに、図７と８に示されるように、前記第二接続部２２２はフィルターアセンブリ２０の長さ方向（即ち図２における左右方向）において隔てて二つ設けられており、何れの第二接続部２２２にも一つの第二掛着穴２２２１が設けられ、前記第二係着突起３１２は対応するように二つ設けられている。こうすると、接続強度と接続安定性を向上できる。
【００４９】
グリッドアセンブリ２２の端部に第一接続部２２１を下に向かって延設し、そして掃除ボックス３１上の第一係着突起３１１と係接するように、第一接続部２２１上に第一掛着穴２２１１を設けることで、グリッドアセンブリ２２の端部と掃除ボックス３１の左側面を位置制限して接続できる。それに、グリッドアセンブリ２２の前部に第二接続部２２１を下に向かって延設し、そして掃除ボックス３１上の第二係着突起３１２と係接するように、第二接続部２２２上に第二掛着穴２２１１を設けることで、グリッドアセンブリ２２の前部と掃除ボックス３１の前側面を位置制限して接続できることは、理解できると考えられる。こうして、掃除ボックス３１とグリッドアセンブリ２２の締結接続を実現できる。
【００５０】
ここでは詳しく説明するまでもないが、以上の第一バックルの例示に関する内容により、前記第一バックル構造は他の構造形式に設けることができることは容易に想到できることは、説明しておく必要がある。
【００５１】
さらに、図４−６に示されるように、前記掃除ボックス３１の開口端には第三接続部３１３が上に向かって延在しており；前記第一螺接構造は第一締付けねじ（図示しない）を含み、前記第一締付けねじは第三接続部３１３を通してグリッドアセンブリ２２の端部とねじ山で接続されることにより、掃除ボックス３１とグリッドアセンブリ２２を接続する。
【００５２】
さらに、図４−６に示されるように、前記第一螺接構造はさらに第三接続部３１３上に設けられている第一ビア３１３１、及びグリッドアセンブリ２２の端面に設けられている第一ねじ山穴２２３を含み、第一締付けねじは第一ビア３１３１を通して第一ねじ山穴２２３にねじ山で接続されている。
【００５３】
前記第一ねじ山穴２２３が位置する端面は第一接続部２２１が位置する端部の端面であり、前記第三接続部３１３は掃除ボックス３１の左側面に位置することは、理解できると考えられる。
【００５４】
したがって、さらに掃除ボックス３１とグリッドアセンブリ２２との接続強度を強化して、掃除アセンブリ３０とフィルターアセンブリ２０との間の接続部安定性をさらに向上できる。
【００５５】
具体的に、図２と３に示されるように、前記第三接続部３１３は掃除ボックス３１の開口端の後側に位置し、前記第一ねじ山穴２２３はその位置する端面の後側に位置する。
【００５６】
さらに、前記第一ビア３１３１はねじ山穴である。こうして、第一螺接構造の接続能力を向上させて、掃除ボックス３１とグリッドアセンブリ２２との接続安定性を向上できる。
【００５７】
前記第一締付けねじをボルト等に置き換えてもよいことは、理解できると考えられる。
【００５８】
以上の第一螺接構造の例示に関する内容により、前記第一螺接構造は他の構造形式に設けることができることは容易に想到できる。この点についてここで詳細に説明しない。
【００５９】
さらに、図１０に示されるように、前記ベース１０は底壁１１、及び底壁１１の後側に接続されている後側壁１２を含む。
【００６０】
具体的に、前記底壁１１は後側壁１２と一体成型されている。
【００６１】
図１０に示されるように、前記底壁１１上には収納位置１１１が画成されて、前記掃除アセンブリ３０は下部で収納位置１１１に取り付けられている。
【００６２】
具体的に、前記掃除ボックス３１は下部で収納位置１１１に取り付けられている。
【００６３】
こうして、掃除アセンブリ３０の下部に対して位置制限を行うことができ、掃除アセンブリ３０とフィルターアセンブリ２０のベース１０上における取付安定性を保証できる。
【００６４】
具体的に、図１０に示されるように、前記底壁１１上にはベース１０の長さ方向（即ち図１０における左右方向）に隔てて分布されている二つの位置制限板（図示しない）が形成され、二つの位置制限板と後側壁１２の間には当該収納位置１１１が形成されている。こうすると、収納位置１１１の構造を簡略化できる。
【００６５】
勿論、前記収納位置１１１は他の構造形式にも設けることができる。
【００６６】
更に、図２、３及び１０に示されるように、前記掃除アセンブリ３０の上部と後側壁１２は第二螺接構造により接続され、且つ／又は、前記フィルターアセンブリ２０と後側壁１２は第二バックル構造により接続されている。
【００６７】
具体的に、前記掃除ボックス３１の上部と後側壁１２は第二螺接構造により接続され、且つ／又は、前記グリッドアセンブリ２２と後側壁１２は第二バックル構造により接続されている。
【００６８】
こうして、掃除アセンブリ３０の上部に対して位置制限を行って固定でき、さらに掃除アセンブリ３０とフィルターアセンブリ２０のベース１０上における取付安定性を保証できる。
【００６９】
本願の例示において、図２、３及び１０に示されるように、前記掃除アセンブリ３０の上部と後側壁１２は第二螺接構造により接続され、且つ前記フィルターアセンブリ２０と後側壁１２は第二バックル構造により接続されている。こうすると、さらに掃除アセンブリ３０とフィルター２０のベース１０上における取付安定性を向上させ、それらが運搬等の過程において揺れるのを防止できるだけではなく、取り付ける時に、先ず第二バックル構造により掃除アセンブリ３０の上部を固定してからそして第二螺接構造を取り付けることも可能となる。こうすると、取付の難易度を下げることが可能になる。
【００７０】
さらに、図２、３及び１０に示されるように、前記掃除ボックス３１上には第四接続部３１４が突出して設けられており、前記第四接続部３１４はフィルターアセンブリ２０から遠く離れるもう一端に向かう方向に延在して；前記第二螺接構造は第二締付けねじ（図示しない）を含み、前記第二締付けねじは第四接続部３１４を通して後側壁１２とねじ山で接続されている。好ましくは、前記第四接続部３１４は掃除ボックス３１の外側面に設けられている。
【００７１】
具体的に、前記第二螺接構造はさらに第四接続部３１４上に設けられている第二ビア３１４１、及び後側壁１２に設けられている第二ねじ山穴１２２を含む。前記第二締付けねじは第二ビア３１４１を通して第二ねじ山穴１２２にねじ山で接続されている。
【００７２】
こうして、掃除ボックス３１を上部でベース１０に取り付けられる。
【００７３】
具体的に、図３及び４において、前記第四接続部３１４は掃除ボックス３１の左側面に設けられている。
【００７４】
具体的に、図１０及び１１に示されるように、前記後側壁１２上にはねじ穴柱１２１が突出して設けられ、前記第二ねじ山穴１２２は当該ねじ穴柱１２１に設けられている。
【００７５】
さらに、前記第二ビア３１４１はねじ山穴である。こうして、第二螺接構造の接続能力を向上させて、掃除ボックス３１とベースとの接続安定性を向上できる。
【００７６】
前記第二締付けねじをボルト等に置き換えてもよいことは、理解できると考えられる。
【００７７】
更に、図２、３及び１０に示されるように、前記第二バックル構造は後側壁１２上に設けられている第三掛着穴１２３、及びフィルターアセンブリ２０上に突出して設けられている挿入バックル（図示しない）を含み、前記挿入バックルは第三掛着穴１２３に挿入接続されている。好ましくは、前記挿入バックルはフィルターアセンブリ２０の外側面に設けられている。
【００７８】
具体的に、前記挿入バックルはグリッドアセンブリ２２の外側面に設けられている。
【００７９】
こうして、フィルターアセンブリ２０のベース１０への取り付けを実現して、掃除アセンブリ３０とフィルターアセンブリ２０のベース１０上での接続安定性を向上できる。
【００８０】
本実施例では、前記挿入バックルはグリッドアセンブリ２２の後側面に設けられている。
【００８１】
前記挿入バックルは後側壁１２上に設けでもよく、これに対して、前記第三掛着穴１２３はフィルターアセンブリ２０上に設けられていることは理解できると考えられる。即ち、前記第二バックル構造はフィルターアセンブリ２０上に設けられている第三掛着穴１２３、及び後側壁１２上に突出して設けられている挿入バックルを含み、前記挿入バックルは第三掛着穴１２３に挿入接続されている。
【００８２】
さらに、前記第三掛着穴１２３はベース１０の長さ方向（即ち図１０での左右方向）において隔てて複数設けられ、前記挿入バックルは対応して複数設けられている。こうすると、フィルターアセンブリ２０とベース１０との間の取り付け安定性を向上できる。
【００８３】
さらに、図２、３、６及び１０に示されるように、前記第四接続部３１４は第三接続部３１３の後側辺に一体成型されている。こうすると、掃除ボックス３１の構造を簡略化できる。
【００８４】
さらに、前記噛合部２１１はラックである。こうして、噛合部２１１と歯車３２２の噛み合いを実現する。
【００８５】
具体的に、前記ラックは二本あって、それぞれフィルター２１の両側辺に設けられている。
【００８６】
勿論、前記噛合部２１１は他の構造形式にも設けることができる。例えば、前記噛合部２１１には噛合穴が設けられ、前記噛合穴は歯車３２２と噛み合うためのものである。
【００８７】
さらに、図１に示されるように、前記壁掛け式エアコン室内機１００はさらにフレーム４０を含み、前記フレーム４０は取り外し可能にベース１０に取り付けられ、前記フレーム４０はベース１０と収納チャンバー（図示しない）を形成し、前記フィルターアセンブリ２０と掃除アセンブリ３０は収納チャンバーに取り付けられている。
【００８８】
具体的に、壁掛け式エアコン室内機１００を組み立てる時、掃除アセンブリ３０をフィルターアセンブリ２０と一緒にベース１０上に取り付けてから、フレーム４０を取り付ける。
【００８９】
具体的に、前記フレーム４０上には送風口が設けられ、当該送風口はフィルターアセンブリ２０に対応して設けられている。
【００９０】
具体的に、図６に示されるように、前記ロールブラシアセンブリ３２は通常、掃除ボックス３１の開口に回動可能に取り付けられているロールブラシ３２１、及びロールブラシ３２１の両端に取り付けられている二つの歯車３２２を含む。前記ロールブラシ３２１はフィルター２１を洗浄するためのものであり；前記歯車３２２はフィルター２１と噛み合うためのものである。
【００９１】
本実施例では、前記ロールブラシ３２１は掃除ボックス３１に回動可能に取り付けられているロール（図示しない）、及びロール上に巻きつけられているブラシ（図示しない）を含み、前記歯車３２２はロールに取り付けられている。
【００９２】
一般的な例ではないが、前記掃除アセンブリ３０はさらに、掃除ボックス３１に取り付けられている、ロールを回動するように駆動するための水洗い動力アセンブリを含む。
【００９３】
前記水洗い動力アセンブリの具体的な構造については関連文献を参照することができ、ここでは詳細に説明しない。
【００９４】
さらに、前記グリッドアセンブリ２２上には、上下方向において隔てて分布されている二つの格納スライド溝（図示しない）が設けられており、前記フィルター２１はその中の一つの格納スライド溝内にスライド可能に取り付けられている。前記格納スライド溝の口はロールブラシアセンブリ３２に近接して設けられ、前記フィルター２１の一端はフィルター２１の噛合部２１１を歯車３２２に噛み合わせるように、当該溝の口からはみ出ている。
【００９５】
フィルター２１を水洗いする必要がある時、ロール上の歯車３２２を回動するように駆動することにより、歯車３２２がフィルター２１を格納スライド溝内でスライドするように動かす。そしてフィルター２１の一端をロールブラシ３２１に巻いて通らせて、もう一つの格納スライド溝に入らせる。この過程において、ロールブラシ３２１はフィルター２１を洗浄する。
【００９６】
さらに、図９に示されるように、前記グリッドアセンブリ２２は順に重なり合って設けられているベースフレーム２２５、フィルター支持材２２６、及び吸気グリッド２２７を含み、前記フィルター支持材２２６はベースフレーム２２５と吸気グリッド２２７の間に設けられ、前記吸気グリッド２２７とフィルター２１の支持材との間には一つの格納スライド溝が形成され、前記ベースフレーム２２５とフィルター２１の支持材との間にはもう一つの格納スライド溝が形成されている。
【００９７】
具体的に、図７−９に示されるように、前記第一接続部２２１と第二接続部２２２は何れも吸気グリッド２２７に設けられている。
【００９８】
前記壁掛け式エアコン室内機１００の他の構造については関連技術設計を参照でき、ここでは詳細に説明しない。
【００９９】
上述したことは本願の例示的な実施例に過ぎず、それによって本願の特許の範囲が制限されるわけではない。本願の発明構想の下で、本願の明細書及び添付図面の内容を利用してなされた均等な構造の変換、或いは他の関連する技術分野への直接／間接的な応用は、何れも本願の特許の保護範囲に含まれる。
【符号の説明】
【０１００】
１００  壁掛け式エアコン室内機
１０  ベース
１１  底壁
１１１  格納部
１２  後側壁
１２１  ねじ穴柱
１２２  第二ねじ山穴
１２３  第三掛着穴
２０  フィルターアセンブリ
２１  フィルター
２１１  噛合部
２２  グリッドアセンブリ
２２１  第一接続部
２２１１  第一掛着穴
２２２  第二接続部
２２２１  第二掛着穴
２２３  第一ねじ山穴
２２５  ベースフレーム
２２６  フィルター支持材
２２７  吸気グリッド
３０  掃除アセンブリ
３１  掃除ボックス
３１１  第一係着突起
３１２  第二係着突起
３１３  第三接続部
３１３１  第一ビア
３１４  第四接続部
３１４１  第二ビア
３２  ロールブラシアセンブリ
３２１  ロールブラシ
３２２  歯車
４０  フレーム
【図１】
2021515163.tif 000003
【図２】
2021515163.tif 000004
【図３】
2021515163.tif 000005
【図４】
2021515163.tif 000006
【図５】
2021515163.tif 000007
【図６】
2021515163.tif 000008
【図７】
2021515163.tif 000009
【図８】
2021515163.tif 000010
【図９】
2021515163.tif 000011
【図１０】
2021515163.tif 000012
【図１１】
2021515163.tif 000013
【国際調査報告】
2021515163.tif 000014
2021515163.tif 000015
2021515163.tif 000016
2021515163.tif 000017
2021515163.tif 000018
2021515163.tif 000019